(57)【要約】      （修正有）【課題】開封手段としてのミシン目線等がラベル表面に現れず、かつ封緘強度は高いが容易に開封できる開封手段を備えるラベルを提供する。【解決手段】所定形状のラベル基材２の裏面に粘着剤層が設けられ、該粘着剤層が離型紙で保護されてなるラベル１において、ラベル１には、封緘対象部位を封緘する封緘部５が形成されており、該封緘部には開封手段６が設けられ、該開封手段は、前記粘着剤層が封緘対象部位に対し粘着しない所定幅の非粘着帯とした切取片部７になっていることを特徴とする。前記切取片部の非粘着帯は、粘着剤層に粘着して剥離しない所定幅のテープが粘着され形成される。【選択図】図１
0003104907.tif 000002
【実用新案登録請求の範囲】
【請求項１】
所定形状のラベル基材の裏面に粘着剤層が設けられ、該粘着剤層が離型紙で保護されてなるラベルにおいて、
該ラベルには、封緘対象部位を封緘する封緘部が形成されており、該封緘部には開封手段が設けられ、該開封手段は、前記粘着剤層が封緘対象部位に対し粘着しない所定幅の非粘着帯とした切取片部になっていることを特徴とするラベル。
【請求項２】
前記切取片部の非粘着帯は、粘着剤層に粘着して剥離しない所定幅のテープが貼着され形成されていることを特徴とする請求項１記載のラベル。
【請求項３】
前記テープは、ラベルの粘着剤層を保護している離型紙が、開封手段部位に沿って所定幅に切断して剥離され、該剥離した離型紙を反転して非離型処理面を粘着剤層に粘着するテープとすることを特徴とする請求項２記載のラベル。
【請求項４】
前記開封手段の切取片部には、摘み片が設けられていることを特徴とする請求項１記載のラベル。
【請求項５】
前記ラベルの表面に、所定の表示が印刷されていることを特徴とする請求項１乃至４のいずれかに記載のラベル。
【考案の詳細な説明】
【技術分野】
【０００１】
この考案はラベルに関し、特に、封緘対象部位を封緘する封緘部が形成され、この封緘部に開封手段が設けられているラベルに関する。
【背景技術】
【０００２】
この種のものとしては、原紙の裏面に粘着剤層が設けられ、この粘着剤層が離型紙で保護されている封緘用シールが知られている。この封緘用シールは、離型紙を剥離してシール部位に粘着（接着）するだけでシールできるので使い勝手がよく好ましいものである。
ところが、このような封緘用シールでは、粘着剤層で粘着してシールするため、開封することが容易にできず、カッターナイフ等の道具を使用しなければならない課題がある。そこで、開封手段を設けた封緘用シールが提案された。これによれば開封が容易となり前記課題は解決される。この従来の開封手段は、切断線を設けたものであり、切断線としてミシン目線が挙げられている（例えば、特許文献１および２参照）。
【特許文献１】実開平３−６６８７３号公報（実用新案登録請求の範囲第２項、図１）
【特許文献２】特開平７−５８１２号公報（段落番号００２０）
【考案の開示】
【考案が解決しようとする課題】
【０００３】
しかしながら、従来のミシン目線を設けるものは、封緘用シールの表面にミシン目線の傷が入るために、使用時の見た目（美感）が低下する課題がある。また、従来、開封を容易とした封緘用シールもあるが、このものは粘着力（接着力）を制限してあるため封印強度が低い課題があり、強度を向上させたものは容易に開封できない課題がある。
この考案は、このような点に鑑み提案されたものであり、その第１の目的は、開封手段としてのミシン目線等がラベル表面に現れず、かつ封緘強度は高いが容易に開封できるラベルを提供することにある。
また、従来の封緘用シールは、封緘専用となっているが、この考案は、宣伝広告、商品名、会社名、等の必要とする事項を表示するラベルに開封手段を備える封緘部を設け、シール機能も兼用するラベルの提供を第２の目的とする。
【課題を解決するための手段】
【０００４】
前記目的を達成するため、この考案のラベルは、所定形状のラベル基材の裏面に粘着剤層が設けられ、該粘着剤層が離型紙で保護されてなるラベルにおいて、
該ラベルには、封緘対象部位を封緘する封緘部が形成されており、該封緘部には開封手段が設けられ、該開封手段は、前記粘着剤層が封緘対象部位に対し粘着しない所定幅の非粘着帯とした切取片部になっていることを特徴とする。
【０００５】
また、この考案のラベルの前記切取片部の非粘着帯は、粘着剤層に粘着して剥離しない所定幅のテープが貼着され形成されていることを特徴とする。
また、この考案のラベルの前記テープは、ラベルの粘着剤層を保護している離型紙が、開封手段部位に沿って所定幅に切断して剥離され、該剥離した離型紙を反転して非離型処理面を粘着剤層に粘着するテープであることを特徴とする。
さらに、この考案のラベルは、ラベルの表面に、所定の表示が印刷されていることを特徴とする。
【考案の効果】
【０００６】
この考案のラベルによれば、次のような効果を奏する。
（１）所定の表示（例えば、広告、商品名、会社名、美感向上のための意匠等）が印刷された通常のラベルとして使用できると共に、このラベルに封緘部が設けられているので、シール部位の封緘もできる。しかもこの封緘部には開封手段が設けられているので、容易に開封できる。
（２）封緘部は、封印強度を維持しながら容易に開封ができる。この開封は、被着体に対し必要以上の力を与えずに開封できる。
（３）老人、子供にもカッターナイフなどの道具を使わずに簡単に開封できる。
【考案を実施するための最良の形態】
【０００７】
以下、この考案の実施の形態を図１乃至図２について詳細に説明する。図１はこの考案の実施の形態を示すラベルの平面図、図２は図１のＡ−Ａ線断面図である。
ラベル１は、所定形状のラベル基材２の裏面に粘着剤層３が設けられ、該粘着剤層３が離型紙４で保護されてなる。このラベル１には、封緘対象部位（シール部位）を封緘する封緘部５が形成されており、該封緘部５には開封手段６が設けられている。この開封手段６は粘着剤層３が封緘対象部位に対し粘着しない所定幅の非粘着帯とした切取片部７で構成されている。この切取片部７は、開封するとき切り取ることによって開封を可能とするものである。該切取片部７の非粘着帯は、本例では粘着剤層３に粘着して剥離しない所定幅のテープ８が貼着されて形成されている。この切取片部７は、封緘部５を横断して設けられる。
【０００８】
ラベル基材２の所定形状および封緘部５の設けられる位置、形状は、被着体の形状や被着体にどのような形状で使用するか、等で決まるものである。例えば、本例では図５および図６に示すように杏仁豆腐の容器１１に使用するラベル１の場合を示している。この容器１１は、断面円形の容器本体１２と蓋体１３とで構成されており、ラベル１は蓋体１３の天板１３ａの表面に貼着して使用し、封緘対象部位１４は容器１１の側面である容器本体１２と蓋体１３との境界に位置するため、ラベル基材２は、円形の本体２ａの外周縁から帯状の封緘部５が延出する形状となっている。即ち、ラベル基材２の本体２ａを蓋体１３の天板１３ａ表面に貼着すると帯状の封緘部５が容器１１の側面に位置して容器本体１２と蓋体１３とに跨って貼着され、蓋体１３が開放しないように封緘する形状であり、この時、開封手段６が容器本体１２と蓋体１３との境界である封緘対象部位１４に位置するようになっている。このようにラベル基材２の所定形状および封緘部５の設けられる位置、形状は、被着体の形状や被着体に使用する形状によって決定される。
【０００９】
ラベル基材２としては特に制限がなく、紙製、樹脂製のものを例示できるが、封緘部５を破断させることを考慮すると紙製が好ましい。
離型紙４は、図２に示すように粘着剤層３に接面する側がシリコーン等で離型処理４ａされたものであり、粘着剤層３は、この離型紙４で保護されており、ラベル１の使用に際しては容易に剥離することができる。ラベル１は、離型紙４より剥がし、粘着剤層３で被着体に粘着（貼着）して使用するが、この時、図３に示すように離型紙４の方を剥がしてもよい。実際にはラベル１は、図４に示すように離型紙４としての剥離ライナーに貼着されている場合が多いので、このような場合には図４に示すようにラベル１を剥離ライナーから剥がして使用する。
【００１０】
開封手段６は、封緘部５における粘着剤層３が、封緘部５を横断して所定幅の非粘着帯とされた切取片部７で形成されている。この切取片部７は、封緘対象部位１４に位置して封緘されており、切り取ることによって開封可能とするものである。この切取片部７は、裏面が非粘着帯となっているので、封緘対象部位１４に粘着しておらず容易に切り取ることができる。
この切取片部７には、摘み片９を設けておくと、この摘み片９を摘み切り取ることができ、切り取りが一層容易となるので好ましい。
切取片部７の非粘着帯は、本例では粘着剤層３に粘着して剥離しない所定幅のテープ８を貼着して形成している。このテープ８は、使用している離型紙４を所定幅に切断したものを使用してもよい。この場合は非離型処理面４ｂを粘着剤層３に粘着する。この離型紙４をテープ８とする場合には、ラベル基材２の粘着剤層３を保護している離型紙を、開封手段６を設ける部位に沿って所定幅に切断して剥離し、この同位置に剥離した離型紙を反転して非離型処理面４ｂを粘着剤層３に粘着するようにし、この部分を切取片部７とするようにすると、別のテープを使用することなく容易に非粘着帯が形成できるので好ましい。
【００１１】
しかして、ラベル１は、図３および図４に示すように離型紙４から剥がし、図５に示すようにラベル基材２の本体２ａを蓋体１３の天板１３ａ表面に位置させ、封緘部５を容器１１の側面において容器本体１２と蓋体１３とに跨って貼着する。この時、開封手段６としての切取片部７は、封緘対象部位１４に位置する。
ラベル１が容器１１に貼着された使用状態を図６に斜視図で示している。図７は、図６のＢ部拡大断面図であり、封緘部５の切取片部７が封緘対象部位１４に位置して、容器本体１２と蓋体１３とが封緘されている状態がよく理解できる。この図７では開封手段６が設けられている位置が大きく突出した突部に描かれているが、実際にはこんなに突出しない。
この図６および図７に示す状態から開封するときは、図８に示すように摘み片９を摘み切取片部７を切り取ることによって行う。これにより容器本体１２と蓋体１３との封緘は解除され、図９に示すように蓋体１３を開放することができる。この時の切取片部７の切り取りは、切取片部７の裏面が非粘着帯となっており、封緘対象部位１４には粘着していないので、容易に切り取ることができる。
【００１２】
このようなラベル１においては、図１、図４、図５および図６に示すようにラベル基材２の本体２ａの表面に、所定の表示１０をすることができる。この表示１０は、任意であり必要とするものは何を記載してもよい。例えば、広告、商品名、会社名、図柄等を例示できる。この表示７は印刷して設けるのが多量生産が容易となるので好ましい。このようにこの考案のラベル１は、封緘だけでなく通常のラベルとしても兼用できるものである。
【実施例】
【００１３】
次に、図１０乃至図１９についてこの考案の実施例を説明する。図１０乃至図１９は、この考案に係るラベルの製造工程を示す説明図であり、工程順に示している。
図１０は、ラベル基材２の片面に粘着剤層３が設けられ、この粘着剤層３が離型紙４で保護されてなるラベルの原反２０を示している。まず、この原反２０の離型紙４の所定箇所を図１１に示すようにカッター１５にて所定幅の帯状に切断する。このカッター１５での切断は、離型紙４のみとする。この帯状に切断された離型紙４は、テープ片８ａとなる。原反２０の離型紙４は、粘着剤層３に接面する側が離型処理面４ａとされ、反対面は非離型処理面４ｂとなっている（図１２参照）。
次に、図１２に示すようにテープ片８ａをラベル基材より剥離し、この剥離したテープ片８ａを反転して、即ち、テープ片８ａの非離型処理面４ｂを粘着剤層３側にして、図１３に示すように剥離した同位置に貼着する。するとテープ片８ａは、非離型処理面４ｂが粘着剤層３側になるため図１４に示すようにしっかりと強固に粘着される。
離型紙４を切断してテープ片８ａとする所定箇所とは、ラベル１としたとき開封手段６としての切取片部７が設けられる位置である。後工程でラベル１に型抜きされるとき、予め切取片部７となる位置になるように設定し、この設定に基づいてカッター１５で切断する。
【００１４】
次に、図１５に示すようにラベル基材２の表面に、ラベル１の形状に対応して表示１０を印刷する。この図１５は図１４に示す原反２０が反転されラベル基材２側を表面側としている。次に、図１６に示すように型１６によってラベル１となる所定形状に型抜きする。この型抜きは、半抜きであって切断はラベル基材２だけであるが、テープ片８ａに対応する箇所（図４および図１９で符号２１で示す箇所）の、切取片部７以外は全抜きである。この時の型１６の刃型は、図１７に示すように全抜きする部分の刃１６ａは、他の刃１６ｂの部分よりｈだけ長く形成されている。これにより型１６の半抜きのストロークで、半抜きと全抜きを同時に行うことができる。図１８（ａ）は型１６の全抜きの部分を断面で示し、図１８（ｂ）は型１６の半抜きの部分を断面で示している。
実際には、図１５に示す印刷と図１６に示す型抜き（切断）とは、同時に行われる。即ち、型１６と印刷版（図示せず）とは結合された構成のものが使用される。
最後に、図１９に示すように型抜きされたラベル１の部分を離型紙４に残し、他のラベル基材２の部分を離型紙４から剥離することによって図４に示すようなライナーが完成する。
【００１５】
なお、前記実施の形態および実施例は、この考案を制限するものではなく、この考案は、要旨を逸脱しない範囲において種々の変形が許容される。例えば、切取片部７とする非粘着帯は、その部分に粘着剤を塗布せずに形成してもよいし、ラベル１の形状も使用対象物によって適宜の変更が可能である。
【産業上の利用可能性】
【００１６】
この考案のラベルは、各種容器において封緘を兼用するラベルとして、また、各種包袋において封緘を兼用するラベルとして利用可能であり、封緘のみにも応用可能である。
【図面の簡単な説明】
【００１７】
【図１】この考案の実施の形態を示すラベルの平面図である。
【図２】図１のＡ−Ａ線断面図である。
【図３】離型紙を剥離している状態の図１Ａ−Ａ線断面に対応する断面図である。
【図４】ラベルが離型ライナーに設けられている状態を示す斜視図である。
【図５】ラベルを容器に貼着しようとしている状態を示す斜視図である。
【図６】ラベルの使用状態を示す斜視図である。
【図７】図６のＢ部拡大断面図である。
【図８】開封状態を示す斜視図である。
【図９】容器を開放している状態を示す斜視図である。
【図１０】ラベルの原反を示す斜視図である。
【図１１】ラベルの製造工程を説明する斜視図である。
【図１２】ラベルの次の製造工程を説明する斜視図である。
【図１３】ラベルの更に次の製造工程を説明する斜視図である。
【図１４】ラベルのまた更に次の製造工程を説明する斜視図である。
【図１５】ラベルのまた更に次の製造工程を説明する斜視図である。
【図１６】ラベルのまた更に次の製造工程を説明する斜視図である。
【図１７】型の刃型を示す部分拡大斜視図である。
【図１８】型での全抜き状態を示す断面図(ａ)および型での半抜き状態を示す断面図（ｂ）である。
【図１９】ラベルの最後の製造工程を説明する斜視図である。
【符号の説明】
【００１８】
１  ラベル
２  ラベル基材
２ａ  ラベル本体
３  粘着剤層
４  離型紙（離型ライナー）
４ａ  離型処理面
４ｂ  非離型処理面
５  封緘部
６  開封手段
７  非粘着帯とした切取片部
８  テープ
８ａ  テープ片
９  摘み片
１０  表示
１１  容器
１２  容器本体
１３  蓋体
１４  封緘対象部位
【図１】
0003104907.tif 000003
【図２】
0003104907.tif 000004
【図３】
0003104907.tif 000005
【図４】
0003104907.tif 000006
【図５】
0003104907.tif 000007
【図６】
0003104907.tif 000008
【図７】
0003104907.tif 000009
【図８】
0003104907.tif 000010
【図９】
0003104907.tif 000011
【図１０】
0003104907.tif 000012
【図１１】
0003104907.tif 000013
【図１２】
0003104907.tif 000014
【図１３】
0003104907.tif 000015
【図１４】
0003104907.tif 000016
【図１５】
0003104907.tif 000017
【図１６】
0003104907.tif 000018
【図１７】
0003104907.tif 000019
【図１８】
0003104907.tif 000020
【図１９】
0003104907.tif 000021